(57)【要約】  【課題】  沈下防止材である木材ブロックを金網で包んだ蛇籠や布団籠はその軽量さのために波の来襲や突然の出水により施工中に移動したり流失したりしてしまうという問題がある。  【解決手段】上記課題を解決するために、海（水）辺に設置するコンクリートブロック等の本体工の沈下を防止するためにその本体工の下に設置する沈下防止材において、木材ブロックと石材やコンクリート等の重量ブロックを組み合わせて所望形状の網状枠体内に収納して蛇籠や布団籠としたことを特徴とする。【選択図】        図１
2005180117.tif 000002
【特許請求の範囲】
【請求項１】
海（水）辺に設置する本体工の沈下を防止するためにその本体工の下に設置する沈下防止材において、
使用目的、使用個所に応じて所望寸法にした木材ブロックと重量ブロックを共に網状枠体内に収納したことを特徴とする沈下防止材。
【請求項２】
請求項１において、重量ブロックを木材ブロックの下部に位置させて収納したことを特徴とする沈下防止材。
【発明の詳細な説明】
【技術分野】
【０００１】
本発明は、例えば海岸林前面に設置する根固め用のコンクリートブロック等の上部本体工の下に敷き詰めてその本体工の沈下や不等沈下を防止する沈下防止材に関する。
【背景技術】
【０００２】
従来の沈下防止材は、所望寸法に切断した木材ブロックを複数個金網に包んだ蛇籠や布団籠があり、根固め用のコンクリートブロック等の上部本体工の下に敷き詰めて用いている。
これによると、沈下防止材の重量が軽量であるために、施工が極めて容易であり、重機の使用も軽減できる等の効果があるものである（例えば、特許文献１参照。）。
【特許文献１】実開平２−１１８３０号公報
【発明の開示】
【発明が解決しようとする課題】
【０００３】
しかしながら、上述した従来の技術においては、沈下防止としての下部工と例えば根固め用のコンクリートブロックのような上部本体工が同時進行で施工される場合はなんら問題は発生しないが、沈下防止の下部工と根固め等の上部本体工が別々に施工される場合が多々ある。
この場合、下部工が施工された後、上部本体工が施工されるまでの間に日時が経て、海岸においては低気圧の通過により予想しかねる波の来襲をみることがあり、また、河川、砂防工事においては、突然の降雨や融雪等による出水が発生することがある。
【０００４】
このような状況の場合、沈下防止材である木材ブロックを金網等で包んだ蛇籠や布団籠はその軽量さのために移動したり流失したりしてしまうという問題がある。
本発明は、上記の問題点を解決するためになされたもので、容易に移動したり流失したりしない比較的軽量な沈下防止材とすることを目的とする。
【課題を解決するための手段】
【０００５】
本発明は、上記課題を解決するために、海（水）辺に設置するコンクリートブロック等の本体工の沈下を防止するためにその本体工の下に設置する沈下防止材において、木材ブロックと石材やコンクリート等の重量ブロックを組み合わせて網状枠体内に収納して蛇籠や布団籠等としたことを特徴とする。
【発明の効果】
【０００６】
これにより、本発明は、使用条件に応じて所望の重量の沈下防止材とすることにより、施工がし易く、施工性に優れると共に万一の災害に対して流失等の事故がなく、施工管理性にすぐれるという効果が得られる。
さらに、重量を調節することにより、水深や流速等に応じた重量とすることができることになり、着底性が確保でき、これによっても、施工管理性にすぐれる。
【０００７】
また、重量が大きくないために、施工に際しての搬送時の型崩れが少なく、形状の選択度が大きなる効果を有する。
また、全体が軽量であるために、施工後の沈下防止材自体の沈下が少ないという効果がある。
また、木材ブロックの材料に間伐材や廃棄物を用いることにより、それらの有効使用をはかることができる効果を有する。
【発明を実施するための最良の形態】
【０００８】
以下に、図面を参照して本発明の実施例を説明する。
図１は本発明の実施例を示す斜視図である。
図において、１は木材ブロック、２は玉石や砕石等の自然石およびもしくはコンクリートブロック等の重量ブロック、３は金族製、合成樹脂製、ゴム製等の網状枠体である。
木材ブロック１は、木口の形状、径および長さは自由であり、それらの寸法は定形品でもよいが、使用条件に応じて決定してもよい。図１に示すような短寸形状に限らず長尺材も選択でき、さらにそれらを１種類もしくは併用して用いてもよい。木材の材料としては間伐材の使用が適当であり、この場合には、径は一般的にほぼ決まるが、長さは約２０ｃｍ〜５０ｃｍ程度がよい。
【０００９】
重量ブロック２は、木材ブロック１と同様に、形状及び大きさは自由であり、定形品でもよいが、使用条件に応じて決定してもよいものである。コンクリート製の場合には、自由な形状とすることができる。
また、自然石の場合には、玉石、砕石等どのような石材でもよく、径が１０ｃｍ〜３０ｃｍ程度のものが適当である。
【００１０】
上記各ブロックの網状枠体３への収納具合および収納割合は、一定形状、一定割合の定形品でもよいが、適宜に決めることができ、その収納具合は、図１に示す如く、平面状に木材ブロックを並べた収納の他に、図２に示す如く、円筒状の網状枠体の中に収納したような形状であってもよく、従来からある布団籠、蛇籠等使用に適した任意の形状である。なお、網状枠体３の網目の大きさは５ｃｍ〜１０ｃｍが一般的である。
【００１１】
また、木材ブロック１と重量ブロック２との配置具合は、図示する如く、重量ブロック２を下部、木材ブロック１を上部に位置させるのが耐久性および安定性を考慮するとよいが、必ずしもそれに限るものではなく、上下逆の配置でもよく、また、両者を分離させずに混合させて収納してもよい。
収納割合は、使用目的、使用個所の深度や流速等の条件によって決められるもので、使用条件にあった最適な重さとなるように重量ブロック２の収納量を決定するとよい。一定した定形品であってももちろんよい。
【００１２】
上述した構成の沈下防止材によると、例えば、図３に示すような海岸林前面に設置する根固め用のコンクリートブロック等の本体工４の下に敷き詰めることにより本体工４の沈下や不等沈下を防ぐことができるもので、しかも沈下防止材が軽量であるために沈下防止材自体の沈下も少ないものである。
また、図４に示すような河川の水制工事や法面防護工事等にも用いることができ、この場合には、上にコンクリートブロックのような重量のある本体工が載らない場合もあるが、そのような場合でもこの沈下防止材を重ねて設置する場合が多く、上に載せた沈下防止材による本体工を安定させることができる。
【００１３】
以上のようなそれぞれの場合、現場の状況に応じて沈下防止材の大きさ、重量および配列を選択し、必要に応じて杭等で固定してもよい。
以上のような施工において、下に配置した沈下防止材が軽量であることにより沈下防止材自体が沈下しにくく、しかも必要な重量をもたせたことにより、不測の天候異変や増水等によって沈下防止材が移動したり流失したりするおそれが少なく、施工管理が容易である。
【図面の簡単な説明】
【００１４】
【図１】実施例を示す説明図
【図２】他の形態例を示す説明図
【図３】使用例を示す説明図
【図４】使用例を示す説明図
【符号の説明】
【００１５】
１  木材ブロック
２  重量ブロック
３  網状枠体  
４  本体工
【図１】
2005180117.tif 000003
【図２】
2005180117.tif 000004
【図３】
2005180117.tif 000005
【図４】
2005180117.tif 000006
【手続補正書】
【提出日】平成16年9月10日(2004.9.10)
【手続補正１】
【補正対象書類名】明細書
【補正対象項目名】０００８
【補正方法】変更
【補正の内容】
【０００８】
以下に、図面を参照して本発明の実施例を説明する。
図１は本発明の実施例を示す斜視図である。
図において、１は木材ブロック、２は玉石や砕石等の自然石およびもしくはコンクリートブロック等の重量ブロック、３は金属製、合成樹脂製、ゴム製等の網状枠体である。
木材ブロック１は、木口の形状、径および長さは自由であり、それらの寸法は定形品でもよいが、使用条件に応じて決定してもよい。図１に示すような短寸形状に限らず長尺材も選択でき、さらにそれらを１種類もしくは併用して用いてもよい。木材の材料としては間伐材の使用が適当であり、この場合には、径は一般的にほぼ決まるが、長さは約２０ｃｍ〜５０ｃｍ程度がよい。